(57)【要約】    【課題】  本発明の課題は、複数の室内機の複数の使用者に対する空気調和装置のエネルギー消費度合いを管理することができるプロトコル変換機、プロトコル変換システム及び室内機ごとのエネルギー管理方法を提供することにある。    【解決手段】  プロトコル変換機３０は、ネットワーク５０ａとＬｏｎＷｏｒｋｓネットワーク１０とを接続する。プロトコル変換機３０は、計算部３５を備える。ＬｏｎＷｏｒｋｓネットワーク１０は、空調機システム群６０が接続されている。空調機システム群６０は、複数の室内機６２ａ等を有する。ＬｏｎＷｏｒｋｓネットワーク１０は、管理装置２０が接続されている。管理装置２０は、空調機システム群６０を管理する。計算部３５は、室内機６２ａ等ごとのみなし消費エネルギー量を計算する。【選択図】        図１
2005037075.tif 000002
【特許請求の範囲】
【請求項１】
複数の室内機（６２ａ，６３ａ，６４ａ，・・・，６２ｂ，６３ｂ，６４ｂ，・・・）を有する１以上の空気調和装置（６０ａ，６０ｂ，・・・）が接続されている集中制御ネットワーク（５０ａ）と前記１以上の空気調和装置（６０ａ，６０ｂ，・・・）を管理する管理装置（２０）が接続されている分散制御ネットワーク（１０）とを接続するプロトコル変換機（３０）であって、
前記室内機ごとのみなし消費エネルギー量（Ｐａａ，Ｐａｂ，Ｐａｃ，・・・，Ｐｂａ，Ｐｂｂ，Ｐｂｃ，・・・，Ｇａａ，Ｇａｂ，Ｇａｃ，・・・，Ｇｂａ，Ｇｂｂ，Ｇｂｃ，・・・）を計算する計算部（３５）を備えたプロトコル変換機（３０）。
【請求項２】
前記分散制御ネットワーク（１０）の通信容量は、前記集中制御ネットワーク（５０ａ）の通信容量よりも小さい、
請求項１に記載のプロトコル変換機（３０）。
【請求項３】
前記分散制御ネットワーク（１０）は、オープンネットワークであり、標準化されたネットワーク変数（入力ＮＶａ，入力ＮＶｂ，・・・，出力ＮＶｃ，出力ＮＶｄ，・・・，出力ＮＶｅ，出力ＮＶｆ，・・・，入力ＮＶｇ，入力ＮＶｈ，・・・）を介して情報の受け渡しが行われる、
請求項１又は２に記載のプロトコル変換機（３０）。
【請求項４】
前記集中制御ネットワーク（５０ａ）は、クローズドネットワークである、
請求項１から３のいずれかに記載のプロトコル変換機（３０）。
【請求項５】
前記計算部（３５）は、前記１以上の空気調和装置（６０ａ，６０ｂ，・・・）の運転状態（Ｐａ，Ｐｂ，・・・，Ｈａａ，Ｈａｂ，Ｈａｃ，・・・，Ｈｂａ，Ｈｂｂ，Ｈｂｃ，・・・，Ｔａａ，Ｔａｂ，Ｔａｃ，・・・，Ｔｂａ，Ｔｂｂ，Ｔｂｃ，・・・，Ｍａａ，Ｍａｂ，Ｍａｃ，・・・，Ｍｂａ，Ｍｂｂ，Ｍｂｃ，・・・，Ｓａａ，Ｓａｂ，Ｓａｃ，・・・，Ｓｂａ，Ｓｂｂ，Ｓｂｃ，・・・）に基づいて、前記室内機ごとのみなし消費エネルギー量（Ｐａａ，Ｐａｂ，Ｐａｃ，・・・，Ｐｂａ，Ｐｂｂ，Ｐｂｃ，・・・，Ｇａａ，Ｇａｂ，Ｇａｃ，・・・，Ｇｂａ，Ｇｂｂ，Ｇｂｃ，・・・）を計算する、
請求項１から４のいずれかに記載のプロトコル変換機（３０）。
【請求項６】
前記１以上の空気調和装置（６０ａ，６０ｂ，・・・）の情報を記憶する記憶部（３４）をさらに備えた、
請求項１から５のいずれかに記載のプロトコル変換機（３０）。
【請求項７】
前記みなし消費エネルギー量（Ｐａａ，Ｐａｂ，Ｐａｃ，・・・，Ｐｂａ，Ｐｂｂ，Ｐｂｃ，・・・，Ｇａａ，Ｇａｂ，Ｇａｃ，・・・，Ｇｂａ，Ｇｂｂ，Ｇｂｃ，・・・）を前記分散制御ネットワーク（１０）経由で前記管理装置（２０）へ送信する送信部（３１）をさらに備えた、
請求項１から６のいずれかに記載のプロトコル変換機（３０）。
【請求項８】
前記エネルギーは、電力又はガスである、
請求項１から７のいずれかに記載のプロトコル変換機（３０）。
【請求項９】
複数の室内機を有する１以上の空気調和装置（６０ａ，６０ｂ，・・・）が接続されている集中制御ネットワーク（５０ａ）と、
前記１以上の空気調和装置（６０ａ，６０ｂ，・・・）を管理する管理装置（２０）が接続されている分散制御ネットワーク（１０）と、
前記集中制御ネットワーク（５０ａ）と前記分散制御ネットワーク（１０）とを接続する請求項１から８のいずれかに記載のプロトコル変換機（３０）と、
を備えたプロトコル変換システム（１，１００）。
【請求項１０】
複数の室内機を有する１以上の空気調和装置（６０ａ，６０ｂ，・・・）が接続されている集中制御ネットワーク（５０ａ）と前記１以上の空気調和装置（６０ａ，６０ｂ，・・・）を管理する管理装置（２０）が接続されている分散制御ネットワーク（１０）とを接続するプロトコル変換機（３０）において行われる前記室内機ごとのエネルギー管理方法であって、
前記１以上の空気調和装置（６０ａ，６０ｂ，・・・）の情報に基づいて、前記室内機ごとのみなし消費エネルギー量（Ｐａａ，Ｐａｂ，Ｐａｃ，・・・，Ｐｂａ，Ｐｂｂ，Ｐｂｃ，・・・，Ｇａａ，Ｇａｂ，Ｇａｃ，・・・，Ｇｂａ，Ｇｂｂ，Ｇｂｃ，・・・）が計算される計算ステップと、
前記みなし消費エネルギー量（Ｐａａ，Ｐａｂ，Ｐａｃ，・・・，Ｐｂａ，Ｐｂｂ，Ｐｂｃ，・・・，Ｇａａ，Ｇａｂ，Ｇａｃ，・・・，Ｇｂａ，Ｇｂｂ，Ｇｂｃ，・・・）が前記分散制御ネットワーク（１０）を介して前記管理装置（２０）へ送信される送信ステップと、
を備えた前記室内機ごとのエネルギー管理方法。
【発明の詳細な説明】
【技術分野】
【０００１】
本発明は、プロトコル変換機、プロトコル変換システム及び室内機ごとのエネルギー管理方法に関する。
【背景技術】
【０００２】
近年、ネットワークにおけるオープン化の流れの中で、ＢＡ（Ｂｕｉｌｄｉｎｇ  Ａｕｔｏｍａｔｉｏｎ）やＦＡ（Ｆａｃｔｏｒｙ  Ａｕｔｏｍａｔｉｏｎ）などにおいてＬｏｎＷｏｒｋｓ（登録商標）技術を採用したＬＯＮ（Ｌｏｃａｌ  Ｏｐｅｒａｔｉｏｎｇ  Ｎｅｔｗｏｒｋ）（登録商標）が採用され始めている（例えば、特許文献１参照。）。ＬｏｎＷｏｒｋｓ（登録商標）ネットワークに接続された各機器はＬｏｎＷｏｒｋｓ（登録商標）ノードと呼ばれる。
【０００３】
ＬｏｎＷｏｒｋｓ（登録商標）ネットワークでは、各ＬｏｎＷｏｒｋｓ（登録商標）ノードに複数のネットワーク変数が定義される。それらのネットワーク変数はバインディングによって互いに関連づけられる（例えば、特許文献２参照。）。ＬｏｎＷｏｒｋｓ（登録商標）ネットワークにおける通信は、ＬｏｎＴａｌｋ（登録商標）プロトコルに従って行われる。すなわち、送信側のＬｏｎＷｏｒｋｓ（登録商標）ノードにおける出力用ネットワーク変数に送信すべき情報が代入されると、受信側のＬｏｎＷｏｒｋｓ（登録商標）ノードにおけるバインディングされた入力用ネットワーク変数でその情報が受信される（例えば、特許文献３参照。）。つまり、ネットワーク変数は情報を伝送するための入れ物である。ＬｏｎＷｏｒｋｓ（登録商標）ネットワークにおける情報の通信では、イーサネット（登録商標）とは異なり、送信元アドレスが指定される必要がない。バインディングを行った際に送信元アドレスがネットワーク変数に設定されているからである。これによりピアツーピア（ｐｅｅｒ  ｔｏ  ｐｅｅｒ）の対等な通信が行われるので、ＬｏｎＷｏｒｋｓ（登録商標）ネットワークは分散制御ネットワークとも呼ばれる。
【０００４】
ＢＡやＦＡなどにおける既存のネットワークを全てＬｏｎＷｏｒｋｓ（登録商標）ネットワークで置き換えるには多大なコストを要することがある。そのため、ＬｏｎＷｏｒｋｓ（登録商標）ネットワークと既存のネットワークとが混在することがある。その場合に、空気調和装置が既存のネットワークに接続され、空気調和装置を管理する管理装置がＬｏｎＷｏｒｋｓ（登録商標）ネットワークに接続されることがある。
【０００５】
一方、ＬｏｎＷｏｒｋｓ（登録商標）ネットワークを備えていない従来のネットワーク構成においては、ＢＡやＦＡなどの管理者が管理装置に集められた空気調和装置に関する情報に基づいて空気調和装置を管理することが一般的である。
【特許文献１】特開２００１−２９２１４７号公報（第２項）
【特許文献２】特開２００２−５１３８８号公報（第３項）
【特許文献３】特開平１０−２２９５９０号公報（第２，５項）
【発明の開示】
【発明が解決しようとする課題】
【０００６】
しかし、ＬｏｎＷｏｒｋｓ（登録商標）ネットワークの通信容量は、既存のネットワークの通信容量に比べて４から６桁ほど低く、空気調和装置の運転に関する情報のような大容量の情報を送受信するのが困難なことがあるという問題がある。また、ＬｏｎＷｏｒｋｓ（登録商標）ネットワークでは、ネットワーク変数が標準化されているため、消費エネルギー量などの一般的な物理量は管理装置に送信できることが多いが、空気調和装置のメーカに固有な物理量を管理装置に送信することが困難なことがあるという問題がある。そのため、管理装置がＬｏｎＷｏｒｋｓ（登録商標）ネットワークに接続されている場合には、空気調和装置に関する情報を管理装置に集めるのが困難になる傾向があり、空気調和装置における複数の室内機の複数の使用者に対する空気調和装置のエネルギー消費度合いを管理することが困難になることがあるという問題がある。
【０００７】
そこで、本発明の課題は、複数の室内機の複数の使用者に対する空気調和装置のエネルギー消費度合いを管理することができるプロトコル変換機、プロトコル変換システム及び室内機ごとのエネルギー管理方法を提供することにある。
【課題を解決するための手段】
【０００８】
請求項１に係るプロトコル変換機は、集中制御ネットワークと分散制御ネットワークとを接続するプロトコル変換機であって、計算部を備える。集中制御ネットワークは、１以上の空気調和装置が接続されている。空気調和装置は、複数の室内機を有する。分散制御ネットワークは、管理装置が接続されている。管理装置は、１以上の空気調和装置を管理する。計算部は、室内機ごとのみなし消費エネルギー量を計算する。
【０００９】
このプロトコル変換機では、集中制御ネットワークのプロトコルが分散制御ネットワークのプロトコルに変換される。あるいは、分散制御ネットワークのプロトコルが集中制御ネットワークのプロトコルに変換される。１以上の空気調和装置の情報は、１以上の空気調和装置から集中制御ネットワークを介して収集され、計算部に受け渡されることが可能である。計算部は、１以上の空気調和装置の情報に基づいて、室内機ごとのみなし消費エネルギー量を計算する。
【００１０】
したがって、分散制御ネットワークを介して１以上の空気調和装置の情報を管理装置に送信することができない場合でも、分散制御ネットワークを介して室内機ごとのみなし消費エネルギー量を管理装置に送信することができる。このため、複数の室内機の複数の使用者に対する空気調和装置のエネルギー消費度合いを管理することができる。
請求項２に係るプロトコル変換機は、請求項１に記載のプロトコル変換機であって、分散制御ネットワークの通信容量は、集中制御ネットワークの通信容量よりも小さい。
【００１１】
ここでは、分散制御ネットワークの通信容量は、集中制御ネットワークの通信容量よりも小さい。１以上の空気調和装置の情報は、大容量の情報であれば、分散制御ネットワークを介して送信されることは困難になりやすい。それに対し、１以上の空気調和装置の情報は、大容量の情報であっても、集中制御ネットワークを介して１以上の空気調和装置から収集され、計算部に受け渡されることが可能である。計算部は、１以上の空気調和装置の情報に基づいて、室内機ごとのみなし消費エネルギー量を計算する。室内機ごとのみなし消費エネルギー量は、大容量の情報になりにくい。
【００１２】
したがって、分散制御ネットワークの通信容量が小さい場合でも、分散制御ネットワークを介して室内機ごとのみなし消費エネルギー量を管理装置に送信することができる。
請求項３に係るプロトコル変換機は、請求項１又は２に記載のプロトコル変換機であって、分散制御ネットワークは、オープンネットワークであり、標準化されたネットワーク変数を介して情報の受け渡しが行われる。
【００１３】
ここでは、分散制御ネットワークは、オープンネットワークであり、標準化されたネットワーク変数を介して情報の受け渡しが行われる。１以上の空気調和装置の情報は、メーカ固有の物理量が含まれていれば、分散制御ネットワークを介して送信されることは困難になりやすい。それに対し、１以上の空気調和装置の情報は、メーカ固有の物理量が含まれていても、集中制御ネットワークを介して１以上の空気調和装置から収集され、計算部に受け渡されることが可能である。計算部は、１以上の空気調和装置の情報に基づいて、室内機ごとのみなし消費エネルギー量を計算する。室内機ごとのみなし消費エネルギー量は、一般的な物理量である。
【００１４】
したがって、分散制御ネットワークを介して一般的な物理量しか送受信できない場合でも、分散制御ネットワークを介して室内機ごとのみなし消費エネルギー量を管理装置に送信することができる。
請求項４に係るプロトコル変換機は、請求項１から３のいずれかに記載のプロトコル変換機であって、集中制御ネットワークは、クローズドネットワークである。
【００１５】
ここでは、集中制御ネットワークは、クローズドネットワークすなわちメーカ固有のネットワークである。そのため、１以上の空気調和装置の情報は、メーカ固有の物理量が含まれていることが多く、分散制御ネットワークを介して送信されることは困難になりやすい。それに対し、１以上の空気調和装置の情報は、メーカ固有の物理量が含まれていても、集中制御ネットワークを介して１以上の空気調和装置から収集され、計算部に受け渡されることが可能である。計算部は、１以上の空気調和装置の情報に基づいて、室内機ごとのみなし消費エネルギー量を計算する。
【００１６】
したがって、１以上の空気調和装置がメーカ固有のネットワークに接続されている場合でも、分散制御ネットワークを介して室内機ごとのみなし消費エネルギー量を管理装置に送信することができる。
請求項５に係るプロトコル変換機は、請求項１から４のいずれかに記載のプロトコル変換機であって、計算部は、１以上の空気調和装置の運転状態に基づいて、室内機ごとのみなし消費エネルギー量を計算する。
【００１７】
このプロトコル変換機では、１以上の空気調和装置の運転状態の情報は、１以上の空気調和装置から集中制御ネットワークを介して収集され、計算部に受け渡されることが可能である。計算部は、１以上の空気調和装置の運転状態の情報に基づいて、室内機ごとのみなし消費エネルギー量を計算する。１以上の空気調和装置の運転状態の情報は、大容量の情報であることが多く、メーカ固有の物理量が含まれることがある。室内機ごとのみなし消費エネルギー量は、１以上の空気調和装置の運転状態の情報に比べて情報の容量が少なく、一般的な物理量である。
【００１８】
したがって、分散制御ネットワークの通信容量が小さく分散制御ネットワーク経由で送受信できる物理量が一般的な物理量に限定されている場合でも、分散制御ネットワークを介して室内機ごとのみなし消費エネルギー量を管理装置に送信することができる。
請求項６に係るプロトコル変換機は、請求項１から５のいずれかに記載のプロトコル変換機であって、記憶部をさらに備える。記憶部は、１以上の空気調和装置の情報を記憶する。
【００１９】
このプロトコル変換機では、１以上の空気調和装置の情報は、１以上の空気調和装置から集中制御ネットワークを介して収集され、計算部に受け渡されることが可能である。記憶部は、１以上の空気調和装置の情報を計算部から受け取り、１以上の空気調和装置の情報を記憶する。計算部は、１以上の空気調和装置の情報を記憶部から受け取り、室内機ごとのみなし消費エネルギー量を計算する。
【００２０】
したがって、１以上の空気調和装置側で１以上の空気調和装置の情報を積算できない場合でも、１以上の空気調和装置の情報を積算することができる。
なお、記憶部は、１以上の空気調和装置の情報を計算部が受け取ったままの状態で計算部から受け取ってもよいし、１以上の空気調和装置の情報を計算部が積算した状態で計算部から受け取ってもよい。
【００２１】
請求項７に係るプロトコル変換機は、請求項１から６のいずれかに記載のプロトコル変換機であって、送信部をさらに備える。送信部は、みなし消費エネルギー量を分散制御ネットワーク経由で管理装置へ送信する。
このプロトコル変換機では、１以上の空気調和装置の情報は、１以上の空気調和装置から集中制御ネットワークを介して収集され、計算部に受け渡されることが可能である。これにより、計算部は、１以上の空気調和装置の情報に基づいて、室内機ごとのみなし消費エネルギー量を計算する。送信部は、室内機ごとのみなし消費エネルギー量の情報を計算部から受け取り、みなし消費エネルギー量を分散制御ネットワーク経由で管理装置へ送信する。
【００２２】
したがって、複数の室内機の複数の使用者に対する空気調和装置のエネルギー消費度合いを管理することができる。このため、管理装置で各室内機の使用者を管理している場合に、複数の室内機の複数の使用者に対して消費エネルギー料金を課金することができる。
請求項８に係るプロトコル変換機は、請求項１から７のいずれかに記載のプロトコル変換機であって、エネルギーは、電力又はガスである。
【００２３】
このプロトコル変換機では、エネルギーは、電力又はガスである。１以上の空気調和装置の情報は、１以上の空気調和装置から集中制御ネットワークを介して収集され、計算部に受け渡されることが可能である。計算部は、１以上の空気調和装置の情報に基づいて、室内機ごとのみなし消費電力量又は室内機ごとのみなし消費ガス量を計算する。
したがって、分散制御ネットワークを介して１以上の空気調和装置の情報を管理装置に送信することができない場合でも、分散制御ネットワークを介して室内機ごとのみなし消費電力量又は室内機ごとのみなし消費ガス量を管理装置に送信することができる。このため、複数の室内機の複数の使用者に対する空気調和装置の電力量消費度合い又はガス量消費度合いを管理することができる。
【００２４】
請求項９に係るプロトコル変換システムは、集中制御ネットワークと、分散制御ネットワークと、請求項１から８のいずれかに記載のプロトコル変換機とを備える。集中制御ネットワークは、１以上の空気調和装置が接続されている。空気調和装置は、複数の室内機を有する。分散制御ネットワークは、管理装置が接続されている。管理装置は、１以上の空気調和装置を管理する。プロトコル変換機は、集中制御ネットワークと分散制御ネットワークとを接続する。
【００２５】
このプロトコル変換システムでは、プロトコル変換機は、集中制御ネットワークと分散制御ネットワークとを接続して、集中制御ネットワークのプロトコルを分散制御ネットワークのプロトコルに変換する。あるいは、分散制御ネットワークのプロトコルを集中制御ネットワークのプロトコルに変換する。１以上の空気調和装置の情報は、１以上の空気調和装置から集中制御ネットワークを介してプロトコル変換機に収集され、プロトコル変換機の計算部に受け渡されることが可能である。プロトコル変換機の計算部は、１以上の空気調和装置の情報に基づいて、１以上の空気調和装置における室内機ごとのみなし消費エネルギー量を計算する。
【００２６】
したがって、分散制御ネットワークを介して１以上の空気調和装置の情報を管理装置に送信することができない場合でも、分散制御ネットワークを介して室内機ごとのみなし消費エネルギー量を管理装置に送信することができる。このため、複数の室内機の複数の使用者に対する空気調和装置のエネルギー消費度合いを管理することができる。
請求項１０に係る室内機ごとのエネルギー管理方法は、集中制御ネットワークと分散制御ネットワークとを接続するプロトコル変換機において行われる室内機ごとのエネルギー管理方法であって、計算ステップと、送信ステップとを備える。集中制御ネットワークは、１以上の空気調和装置が接続されている。空気調和装置は、複数の室内機を有する。分散制御ネットワークは、管理装置が接続されている。管理装置は、１以上の空気調和装置を管理する。計算ステップでは、１以上の空気調和装置の情報に基づいて、室内機ごとのみなし消費エネルギー量が計算される。送信ステップでは、みなし消費エネルギー量が分散制御ネットワークを介して管理装置へ送信される。
【００２７】
この室内機ごとのエネルギー管理方法では、１以上の空気調和装置の情報は、１以上の空気調和装置から集中制御ネットワークを介して収集されることが可能である。計算ステップにおいて、１以上の空気調和装置の情報に基づいて、室内機ごとのみなし消費エネルギー量が計算される。送信ステップにおいて、室内機ごとのみなし消費エネルギー量の情報が受け取られ、室内機ごとのみなし消費エネルギー量が分散制御ネットワーク経由で管理装置へ送信される。
【００２８】
したがって、複数の室内機の複数の使用者に対する空気調和装置のエネルギー消費度合いを管理することができる。
【発明の効果】
【００２９】
請求項１に係るプロトコル変換機では、分散制御ネットワークを介して１以上の空気調和装置の情報を管理装置に送信することができない場合でも、分散制御ネットワークを介して室内機ごとのみなし消費エネルギー量を管理装置に送信することができるので、複数の室内機の複数の使用者に対する空気調和装置のエネルギー消費度合いを管理することができる。
【００３０】
請求項２に係るプロトコル変換機では、分散制御ネットワークの通信容量が小さい場合でも、分散制御ネットワークを介して室内機ごとのみなし消費エネルギー量を管理装置に送信することができる。
請求項３に係るプロトコル変換機では、分散制御ネットワークを介して一般的な物理量しか送受信できない場合でも、分散制御ネットワークを介して室内機ごとのみなし消費エネルギー量を管理装置に送信することができる。
【００３１】
請求項４に係るプロトコル変換機では、１以上の空気調和装置がメーカ固有のネットワークに接続されている場合でも、分散制御ネットワークを介して室内機ごとのみなし消費エネルギー量を管理装置に送信することができる。
請求項５に係るプロトコル変換機では、分散制御ネットワークの通信容量が小さく分散制御ネットワーク経由で送受信できる物理量が一般的な物理量に限定されている場合でも、分散制御ネットワークを介して室内機ごとのみなし消費エネルギー量を管理装置に送信することができる。
【００３２】
請求項６に係るプロトコル変換機では、１以上の空気調和装置側で１以上の空気調和装置の情報を積算できない場合でも、１以上の空気調和装置の情報を積算することができる。
請求項７に係るプロトコル変換機では、複数の室内機の複数の使用者に対する空気調和装置のエネルギー消費度合いを管理することができるので、管理装置で各室内機の使用者を管理している場合に、複数の室内機の複数の使用者に対して消費エネルギー料金を課金することができる。
【００３３】
請求項８に係るプロトコル変換機では、分散制御ネットワークを介して１以上の空気調和装置の情報を管理装置に送信することができない場合でも、分散制御ネットワークを介して室内機ごとのみなし消費電力量又は室内機ごとのみなし消費ガス量を管理装置に送信することができるので、複数の室内機の複数の使用者に対する空気調和装置の電力量消費度合い又はガス量消費度合いを管理することができる。
【００３４】
請求項９に係るプロトコル変換システムでは、分散制御ネットワークを介して１以上の空気調和装置の情報を管理装置に送信することができない場合でも、分散制御ネットワークを介して室内機ごとのみなし消費エネルギー量を管理装置に送信することができるので、複数の室内機の複数の使用者に対する空気調和装置のエネルギー消費度合いを管理することができる。
【００３５】
請求項１０に係る室内機ごとのエネルギー管理方法では、複数の室内機の複数の使用者に対する空気調和装置のエネルギー消費度合いを管理することができる。
【発明を実施するための最良の形態】
【００３６】
［第１実施形態］
図１に、本発明の第１実施形態にかかるプロトコル変換システム１の構成図を示す。また、本発明の第１実施形態にかかるプロトコル変換システム１の構成要素の構成図を図２に示す。
＜プロトコル変換システム１の全体構成＞
図１に示すプロトコル変換システム１は、主として管理装置２０とプロトコル変換機３０と空調機システム群６０（６０ａ，６０ｂ，・・・）とＬｏｎＷｏｒｋｓ（登録商標）ネットワーク１０とネットワーク群５０（５０ａ，５０ｂ）と電力供給設備群７０（７１，７２，７３）とを備える。
【００３７】
管理装置２０とプロトコル変換機３０とはＬｏｎＷｏｒｋｓ（登録商標）ネットワーク１０で接続されている。プロトコル変換機３０と空調機システム群６０（６０ａ，６０ｂ，・・・）とはネットワーク５０ａで接続されている。プロトコル変換機３０と電力供給設備群７０（７１，７２，７３）とはネットワーク５０ｂで接続されている。ＬｏｎＷｏｒｋｓ（登録商標）ネットワーク１０とネットワーク群５０（５０ａ，５０ｂ）とはプロトコル変換機３０で接続されている。
【００３８】
＜管理装置２０の構成＞
図１に示す管理装置２０は、通常のパーソナルコンピュータ（ＰＣ、Ｍａｃｉｎｔｏｓｈ（登録商標）など）又はエンジニアリングワークステーション（ＥＷＳ）などと同様の構成である。
図１に示す管理装置２０は、空調機システム群６０（６０ａ，６０ｂ，・・・）を管理する。
【００３９】
＜プロトコル変換機３０の構成＞
図１に示すプロトコル変換機３０は、図２に示すように、主として送受信部ａ３１と送受信部ｂ３２とプロトコル変換部３３と記憶部３４と計算部３５とを備える。
図２に示す送受信部ｂ３２は、図１に示す電力量計７２の情報をネットワーク５０ｂ経由で受信して、図２に示すプロトコル変換部３３へ渡す。また、図２に示す送受信部ｂ３２は、図１に示す空調機システム群６０（６０ａ，６０ｂ，・・・）の室外機６１ａ，６１ｂ，・・・の使用電力量の情報と空調機システム群６０（６０ａ，６０ｂ，・・・）の室内機６２ａ，６３ａ，６４ａ，・・・，６２ｂ，６３ｂ，６４ｂ，・・・（以下、室内機６２ａ等と表す。）の運転状態の情報とをネットワーク５０ａ経由で受信して、図２に示すプロトコル変換部３３へ渡す。ここで、運転状態の情報とは、主として室内機６２ａ等の運転及び停止状態値・吸い込み温度・運転モード・空調負荷量の情報である。運転及び停止状態値とは、主として「運転」、「停止」である。運転モードとは、主として冷房運転・暖房運転・送風運転である。吸い込み温度とは、室内機６２ａ等の吸い込み口付近に設置されたセンサにより取得される温度である。プロトコル変換部３３は、図１に示す電力量計７２の情報と空調機システム群６０（６０ａ，６０ｂ，・・・）の室外機６１ａ，６１ｂ，・・・の使用電力量の情報と空調機システム群６０（６０ａ，６０ｂ，・・・）の室内機６２ａ等の運転状態の情報とをネットワーク群５０（５０ａ，５０ｂ）の形式から図２に示す計算部３５で読める形式に変換し、それらの情報を計算部３５へ渡す。計算部３５は、運転及び停止状態値について「運転」の状態である時間を運転時間として積算し、吸い込み温度・運転モード・空調負荷量を積算して、記憶部３４に記憶する。計算部３５は、記憶部３４を参照し、積算した情報から図１に示す空調機システム群６０（６０ａ，６０ｂ，・・・）の室内機ごとのみなし消費電力量を定期的に計算し、図２に示すプロトコル変換器３３に計算結果を渡す。プロトコル変換器３３は、計算結果を計算部３５で読める形式からＬｏｎＷｏｒｋｓ（登録商標）ネットワーク１０の形式に変換し、送受信部ａ３１に渡す。送受信部ａ３１は、計算結果をＬｏｎＷｏｒｋｓ（登録商標）ネットワーク１０経由で図１に示す管理装置２０へ送信する。
【００４０】
また、図２に示す送受信部ｂ３２は、図１に示す電力量計７２の情報と空調機システム群６０（６０ａ，６０ｂ，・・・）の室外機６１ａ，６１ｂ，・・・の使用電力量の情報と空調機システム群６０（６０ａ，６０ｂ，・・・）の室内機６２ａ等の運転状態の情報と以外の情報をネットワーク５０ａ経由で受信して、図２に示すプロトコル変換部３３へ渡す。プロトコル変換部３３は、その情報をネットワーク群５０（５０ａ，５０ｂ）の形式からＬｏｎＷｏｒｋｓ（登録商標）ネットワーク１０の形式に変換し、送受信部ａ３１に渡す。送受信部ａ３１は、その情報をＬｏｎＷｏｒｋｓ（登録商標）ネットワーク１０経由で図１に示す管理装置２０へ送信する。すなわち、図１に示す電力量計７２の情報と空調機システム群６０（６０ａ，６０ｂ，・・・）の室外機６１ａ，６１ｂ，・・・の使用電力量の情報と空調機システム群６０（６０ａ，６０ｂ，・・・）の室内機６２ａ等の運転状態の情報と以外の情報の場合、図２に示すプロトコル変換部３３は主としてプロトコル変換を行う。
【００４１】
＜空調機システム群６０（６０ａ，６０ｂ，・・・）の構成＞
図１に示すように、空調機システム群６０（６０ａ，６０ｂ，・・・）は、主として室内機群（６２ａ，６３ｂ，６４ａ，・・・，６２ｂ，６３ｂ，６４ｂ，・・・）と室外機群６１（６１ａ，６１ｂ，・・・）とを備える。
室内機群（６２ａ，６３ｂ，６４ａ，・・・，６２ｂ，６３ｂ，６４ｂ，・・・）と室外機群６１（６１ａ，６１ｂ，・・・）とは、ネットワーク５０ａで接続されている。
【００４２】
室内機群（６２ａ，６３ｂ，６４ａ，・・・，６２ｂ，６３ｂ，６４ｂ，・・・）は、運転及び停止状態値・吸い込み温度・運転モード・空調負荷量の情報を収集し、ネットワーク５０ａ経由でプロトコル変換機３０へ送信する。室外機群６１（６１ａ，６１ｂ，・・・）は、主として電流計群４０（４０ａ，４０ｂ，・・・）と電動式圧縮機群４１（４１ａ，４１ｂ，・・・）とを備える。室外機群６１（６１ａ，６１ｂ，・・・）は、電動式圧縮機群４１（４１ａ，４１ｂ，・・・）など室外機群６１（６１ａ，６１ｂ，・・・）が使用した使用電力量を電流計群４０（４０ａ，４０ｂ，・・・）で検出して、室外機群６１（６１ａ，６１ｂ，・・・）の使用電力量の情報をネットワーク５０ａ経由でプロトコル変換機３０へ送信する。
【００４３】
＜ＬｏｎＷｏｒｋｓ（登録商標）ネットワーク１０の構成＞
図１に示すように、ＬｏｎＷｏｒｋｓ（登録商標）ネットワーク１０は、管理装置２０とプロトコル変換機３０とを接続している。
空調機システム群６０（６０ａ，６０ｂ，・・・）の室内機６２ａ等の運転及び停止状態値・吸い込み温度・運転モード・空調負荷量の情報は１２秒ごとに定期的に収集され、空調機システム群６０（６０ａ，６０ｂ，・・・）の室外機６１ａ，６１ｂ，・・・の使用電力量の情報は１０秒ごとに定期的に収集されることになるため、空調機システム群６０（６０ａ，６０ｂ，・・・）の情報は大容量の情報となる。ＬｏｎＷｏｒｋｓ（登録商標）ネットワーク１０の通信容量は、一般に、７８ｋｂｐｓ程度である。したがって、空調機システム群６０（６０ａ，６０ｂ，・・・）の室内機６２ａ等の運転及び停止状態値・吸い込み温度・運転モード・空調負荷量の情報を１２秒ごとに定期的に、空調機システム群６０（６０ａ，６０ｂ，・・・）の室外機６１ａ，６１ｂ，・・・の使用電力量の情報を１０秒ごとに定期的に、ＬｏｎＷｏｒｋｓ（登録商標）ネットワーク１０経由で送受信するのは困難である。
【００４４】
また、図１に示すＬｏｎＷｏｒｋｓ（登録商標）ネットワーク１０では、図５に示すネットワーク変数（入力ＮＶａ，入力ＮＶｂ，・・・，出力ＮＶｃ，出力ＮＶｄ，・・・，出力ＮＶｅ，出力ＮＶｆ，・・・，入力ＮＶｇ，入力ＮＶｈ，・・・）を介して情報の送受信が行われる。ＬｏｎＷｏｒｋｓ（登録商標）ネットワーク１０では、ネットワーク変数は標準化されており、一般的な物理量を送受信することはできるが、メーカ固有の物理量を送受信することは困難である。すなわち、図１に示す空調機システム群６０（６０ａ，６０ｂ，・・・）の室内機６２ａ等の運転及び停止状態値・吸い込み温度・運転モードの情報と空調機システム群６０（６０ａ，６０ｂ，・・・）の室外機６１ａ，６１ｂ，・・・の使用電力量の情報とは送受信できるが、空調機システム群６０（６０ａ，６０ｂ，・・・）の室内機６２ａ等の空調負荷量の情報は送受信することは困難である。空調負荷量は、一般的な物理量でないからである。
【００４５】
＜ネットワーク群５０（５０ａ，５０ｂ）の構成＞
図１に示すネットワーク群５０（５０ａ，５０ｂ）は、ＬｏｎＷｏｒｋｓ（登録商標）ネットワーク１０とは異なる方式のネットワークであり、クローズドネットワークすなわちメーカ固有のネットワークである。ネットワーク群５０（５０ａ，５０ｂ）は、主としてネットワーク５０ａとネットワーク５０ｂとを備える。ネットワーク５０ａは、空調機システム群６０（６０ａ，６０ｂ，・・・）とプロトコル変換機３０とを接続している。ネットワーク５０ｂは、電力量計７２とプロトコル変換機３０とを接続している。
【００４６】
空調機システム群６０（６０ａ，６０ｂ，・・・）はネットワーク５０ａに接続されているため、空調機システム群６０（６０ａ，６０ｂ，・・・）の空調負荷量もメーカ固有の物理量である。
＜電力供給設備群７０（７１，７２，７３）の構成＞
電力供給設備群７０（７１，７２，７３）は、主として電源７１と電力量計７２と電力供給線群７３（７３ａ，７３ｂ，・・・）とを備える。電源７１は、電力量計７２と電力供給線群７３（７３ａ，７３ｂ，・・・）とを経由して、空調機システム群６０（６０ａ，６０ｂ，・・・）の室外機群６１（６１ａ，６１ｂ，・・・）へ電力を供給する。電力量計７２は、空調機システム群６０（６０ａ，６０ｂ，・・・）の総消費電力量を計測する。なお、空調機システム群６０（６０ａ，６０ｂ，・・・）の室外機群６１（６１ａ，６１ｂ，・・・）の電流計群４０（４０ａ，４０ｂ，・・・）の検出する使用電力量の合計と電力量計７２の検出する総消費電力量とは通常一致しない。空調機システム群６０（６０ａ，６０ｂ，・・・）の電力はほとんど室外機群６１（６１ａ，６１ｂ，・・・）で消費されるが、室内機群（６２ａ，６３ｂ，６４ａ，・・・，６２ｂ，６３ｂ，６４ｂ，・・・）で消費される電力もわずかながら存在するためである。電力料金は、電力量計７２の検出する総消費電力量に対して課金される。
【００４７】
＜プロトコル変換システム１が室内機６２ａ等ごとのみなし消費電力量を管理する処理の流れ＞
図１に示すプロトコル変換システム１が室内機６２ａ等ごとのみなし消費電力量を管理する処理の流れを、図３に示すフローチャートを用いて説明する。
図３に示すステップＳ１では、空調機システム群６０（６０ａ，６０ｂ，・・・）の総消費電力量の情報は、図１に示す電力量計７２からネットワーク５０ｂを経由して電力パルスとして送信され、図２に示す送受信部ｂ３２で受信され、送受信部ｂ３２からプロトコル変換部３３へ渡される。図１に示す空調機システム群６０（６０ａ，６０ｂ，・・・）の総消費電力量の情報は、図２に示すプロトコル変換部３３においてネットワーク群５０（５０ａ，５０ｂ）の形式から計算部３５で読める形式へ変換され、計算部３５へ渡される。図３に示すステップＳ２では、空調機システム群６０（６０ａ，６０ｂ，・・・）の室外機６１ａ，６１ｂ，・・・の使用電力量の情報は、図１に示す空調機システム群６０（６０ａ，６０ｂ，・・・）の室外機６１ａ，６１ｂ，・・・からネットワーク５０ａを経由して１０秒ごとに定期的に送信され、図２に示す送受信部ｂ３２で受信され、送受信部ｂ３２からプロトコル変換部３３へ渡される。図１に示す空調機システム群６０（６０ａ，６０ｂ，・・・）の室外機６１ａ，６１ｂ，・・・の使用電力量の情報は、図２に示すプロトコル変換部３３においてネットワーク群５０（５０ａ，５０ｂ）の形式から計算部３５で読める形式へ変換され、計算部３５へ渡される。図３に示すステップＳ３では、図１に示す空調機システム群６０（６０ａ，６０ｂ，・・・）の室内機６２ａ等の運転状態の情報は、空調機システム群６０（６０ａ，６０ｂ，・・・）の室内機６２ａ等からネットワーク５０ａと室外機６１ａ，６１ｂ，・・・とを経由して１２秒ごとに定期的に送信され、図２に示す送受信部ｂ３２で受信され、送受信部ｂ３２からプロトコル変換部３３へ渡される。図１に示す空調機システム群６０（６０ａ，６０ｂ，・・・）の室内機６２ａ等の運転状態の情報は、図２に示すプロトコル変換部３３においてネットワーク群５０（５０ａ，５０ｂ）の形式から計算部３５で読める形式へ変換され、計算部３５へ渡される。図３に示すステップＳ４では、図１に示す空調機システム群６０（６０ａ，６０ｂ，・・・）の総消費電力量の情報は、図２に示す計算部３５が受け取るたびに積算され、記憶部３４に記憶される。図１に示す空調機システム群６０（６０ａ，６０ｂ，・・・）の室外機６１ａ，６１ｂ，・・・の使用電力量の情報は、図２に示す計算部３５が受け取るたびにすなわち１０秒ごとに積算され、記憶部３４に記憶される。図１に示す空調機システム群６０（６０ａ，６０ｂ，・・・）の室内機６２ａ等の運転状態の情報は、図２に示す計算部３５が受け取るたびにすなわち１２秒ごとに積算され、記憶部３４に記憶される。ここで、室内機６２ａ等の運転状態の情報のうち、運転及び停止状態値は、「運転」の状態である時間が運転時間として積算される。他の運転状態の情報は、そのまま積算される。図３に示すステップＳ５では、初回であればデータの受信を始めてから、２回目以降であれば図１に示す室内機６２ａ等ごとのみなし消費電力を一番最後に計算したときから、１時間経過したか否かが判断される。１時間経過したと判断されればステップＳ６へ進み、１時間経過していないと判断されればステップＳ１へ進む。図３に示すステップＳ６では、図１に示す空調機システム群６０（６０ａ，６０ｂ，・・・）の室外機６１ａ，６１ｂ，・・・の使用電力量の情報と空調機システム群６０（６０ａ，６０ｂ，・・・）の総消費電力量の情報とに基づき、空調機システム６０ａ，６０ｂ，・・・ごとの消費電力量が計算される。計算方法は後述する。空調機システム６０ａ，６０ｂ，・・・ごとの消費電力量の情報と空調機システム群６０（６０ａ，６０ｂ，・・・）の室内機６２ａ等の運転状態の情報とに基づき、室内機６２ａ等ごとのみなし消費電力量が計算される。計算方法は後述する。図３に示すステップＳ７では、図１に示す室内機６２ａ等ごとのみなし消費電力量が図２に示す計算部３５からプロトコル変換部３３へ渡される。図１に示す室内機６２ａ等ごとのみなし消費電力量は、図２に示すプロトコル変換部３３において計算部３５で読める形式からＬｏｎＷｏｒｋｓ（登録商標）ネットワーク１０の形式に変換され、プロトコル変換部３３から送受信部ａ３１へ渡され、送受信部ａ３１からＬｏｎＷｏｒｋｓ（登録商標）ネットワーク１０経由で図１に示す管理装置２０へ送信される。
【００４８】
＜室内機６２ａ等ごとのみなし消費電力量の計算方法＞
図１に示す室内機６２ａ等ごとのみなし消費電力量の計算方法を、以下に説明する。
図１に示す空調機システム群６０（６０ａ，６０ｂ，・・・）の室外機６１ａ，６１ｂ，・・・の使用電力量をｐａ，ｐｂ，・・・とする。空調機システム群６０（６０ａ，６０ｂ，・・・）の総消費電力量をＰとする。空調機システム６０ａ，６０ｂ，・・・ごとの消費電力量をＰａ，Ｐｂ，・・・とする。例えば、Ｐａは、
Ｐａ＝Ｐ×ｐａ／（ｐａ＋ｐｂ＋・・・）                ・・・（式１）
の式により計算される。Ｐｂ，・・・も式１と同様に計算される。
【００４９】
次に、空調機システム群６０（６０ａ，６０ｂ，・・・）の室内機６２ａ等の運転状態の情報について、運転時間をＨａａ，Ｈａｂ，Ｈａｃ，・・・，Ｈｂａ，Ｈｂｂ，Ｈｂｃ，・・・とし、吸い込み温度をＴａａ，Ｔａｂ，Ｔａｃ，・・・，Ｔｂａ，Ｔｂｂ，Ｔｂｃ，・・・とし、運転モードをＭａａ，Ｍａｂ，Ｍａｃ，・・・，Ｍｂａ，Ｍｂｂ，Ｍｂｃ，・・・とし、空調負荷量をＳａａ，Ｓａｂ，Ｓａｃ，・・・，Ｓｂａ，Ｓｂｂ，Ｓｂｃ，・・・とする。室内機６２ａ等ごとの仮消費電力量をＢａａ，Ｂａｂ，Ｂａｃ，・・・，Ｂｂａ，Ｂｂｂ，Ｂｂｃ，・・・とする。
【００５０】
例えば、Ｂａａは、
Ｍａａ＝冷房運転
のとき、
Ｂａａ＝Ｗｃ×（−Ｋａ＋Ｋｂ×Ｔａａ）×（Ｓａａ／１０）×Ｈａａ
・・・（式２）
の式により計算される。ここで、Ｗｃは室内機６２ａの冷房時定格消費電力であり、ＫａとＫｂとは室内機６２ａの機種により決められる冷房係数である。ＷｃとＫａとＫｂとは、図２に示す記憶部３４に記憶されており、図１に示す室内機６２ａ等ごとのみなし消費電力量が図２に示す計算部３５で計算される際に参照される。Ｂａｂ，Ｂａｃ，・・・，Ｂｂａ，Ｂｂｂ，Ｂｂｃ，・・・も式２と同様に計算される。
【００５１】
例えば、Ｂａａは、
Ｍａａ＝暖房運転
のとき、
Ｂａａ＝Ｗｈ×（Ｋｃ−Ｋｄ×Ｔａａ）×（Ｓａａ／１０）×Ｈａａ
・・・（式３）
の式により計算される。ここで、Ｗｈは室内機６２ａの暖房時定格消費電力であり、ＫｃとＫｄとは室内機６２ａの機種により決められる暖房係数である。ＷｈとＫｃとＫｄとは、図２に示す記憶部３４に記憶されており、図１に示す室内機６２ａ等ごとのみなし消費電力量が図２に示す計算部３５で計算される際に参照される。Ｂａｂ，Ｂａｃ，・・・，Ｂｂａ，Ｂｂｂ，Ｂｂｃ，・・・も式３と同様に計算される。
【００５２】
例えば、Ｂａａは、
Ｍａａ＝送風運転
のとき、
Ｂａａ＝Ｗｗ×Ｈａａ                                  ・・・（式４）
の式により計算される。ここで、Ｗｗは室内機６２ａのファン定格消費電力である。Ｗｗは、図２に示す記憶部３４に記憶されており、図１に示す室内機６２ａ等ごとのみなし消費電力量が図２に示す計算部３５で計算される際に参照される。Ｂａｂ，Ｂａｃ，・・・，Ｂｂａ，Ｂｂｂ，Ｂｂｃ，・・・も式４と同様に計算される。
【００５３】
式２〜式４の次に、室内機６２ａ等ごとのみなし消費電力量を、Ｐａａ，Ｐａｂ，Ｐａｃ，・・・，Ｐｂａ，Ｐｂｂ，Ｐｂｃ，・・・とする。例えば、Ｐａａは、
Ｐａａ＝Ｐａ×Ｂａａ／（Ｂａａ＋Ｂａｂ＋・・・）      ・・・（式５）
の式により計算される。ここで、Ｐａは式１のＰａと同じである。Ｐａｂ，Ｐａｃ，・・・，Ｐｂａ，Ｐｂｂ，Ｐｂｃ，・・・も式５と同様に計算される。
【００５４】
＜空調機システム群６０（６０ａ，６０ｂ，・・・）の室内機６２ａ等の空調負荷量Ｓａａ，Ｓａｂ，Ｓａｃ，・・・，Ｓｂａ，Ｓｂｂ，Ｓｂｃ，・・・の計算方法＞
図１に示す空調機システム群６０（６０ａ，６０ｂ，・・・）の室内機６２ａ等の空調負荷量の計算方法を、図４に示す概念図を用いて説明する。なお、この計算は、室内機６２ａ等において行われる。
【００５５】
図４には、空調機システム６０ａが各部屋ＲＭａ，ＲＭｂ，ＲＭｃ，・・・に設置される様子が示されている。空調機システム６０ａの室内機６２ａ，６３ａ，６４ａ，・・・から単位時間あたりに供給される熱量をＱａａ，Ｑａｂ，Ｑａｃ，・・・とする。空調機システム６０ａの室内機６２ａ，６３ａ，６４ａ，・・・から吹き出される空気の風速をＶａａ，Ｖａｂ，Ｖａｃ，・・・とする。空調機システム６０ａの室内機６２ａ，６３ａ，６４ａ，・・・の吹き出し口の面積をＡａａ，Ａａｂ，Ａａｃ，・・・とする。空調機システム６０ａの室内機６２ａ，６３ａ，６４ａ，・・・の吹き出し温度をｔａａ，ｔａｂ，ｔａｃ，・・・とする。ここで、吹き出し温度とは、室内機６２ａ，６３ａ，６４ａ，・・・の吹き出し口付近に備えられた吹き出し空気温度センサ８２ａ，８３ａ，８４ａ，・・・により取得された温度である。空調機システム６０ａの室内機６２ａ，６３ａ，６４ａ，・・・の吸い込み温度をＴａａ，Ｔａｂ，Ｔａｃ，・・・とする。ここで、吸い込み温度とは、室内機６２ａ，６３ａ，６４ａ，・・・の吸い込み口付近に備えられた吸い込み空気温度センサ９２ａ，９３ａ，９４ａ，・・・により取得された温度である。例えば、Ｑａａは、
Ｑａａ＝Ｖａａ×Ａａａ×（ｔａａ−Ｔａａ）×Ｋｅ      ・・・（式６）
の式により計算される。ここで、Ｋｅは係数である。Ｑａｂ，Ｑａｃ，・・・も式６と同様に計算される。
【００５６】
次に、空調機システム６０ａの室内機６２ａ，６３ａ，６４ａ，・・・の空調負荷量をＳａａ，Ｓａｂ，Ｓａｃ，・・・とする。空調機システム６０ａの室内機６２ａ，６３ａ，６４ａ，・・・の吹き出し延べ時間をｈａａ，ｈａｂ，ｈａｃ，・・・とする。例えば、Ｓａａは、
Ｓａａ＝Ｑａａ×ｈａａ                                ・・・（式７）
の式により計算される。Ｓａｂ，Ｓａｃ，・・・も式７と同様に計算される。
【００５７】
他の空調機システム６０ｂ，・・・の空調負荷量Ｓｂａ，Ｓｂｂ，Ｓｂｃ，・・・も式６や式７と同様にして計算される。
なお、図１に示す空調機システム群６０（６０ａ，６０ｂ，・・・）の室内機６２ａ等の空調負荷量Ｓａａ，Ｓａｂ，Ｓａｃ，・・・，Ｓｂａ，Ｓｂｂ，Ｓｂｃ，・・・は、空調機システム群６０（６０ａ，６０ｂ，・・・）の室内機６２ａ等から空調機システム群６０（６０ａ，６０ｂ，・・・）の室外機６１ａ，６１ｂ，・・・へネットワーク５０ａを介して通知されて、空調機システム群６０（６０ａ，６０ｂ，・・・）の室外機６１ａ，６１ｂ，・・・が空調機システム群６０（６０ａ，６０ｂ，・・・）の室内機６２ａ等へ供給する冷媒の量を決める目安とされる。
【００５８】
＜室内機６２ａ等の使用者が複数存在する場合の電力料金の計算方法＞
室内機６２ａ等の使用者が複数存在する場合について、図４に示す概念図を用いて説明する。
図４に示すように、部屋ＲＭａをテナントＡが使用し、部屋ＲＭｂをテナントＢが使用し、部屋ＲＭｃをテナントＣが使用し、・・・使用している場合、すなわち室内機６２ａをテナントＡが使用し、室内機６３ａをテナントＢが使用し、室内機６４ａをテナントＣが使用し、・・・使用している場合を考える。テナントＡとテナントＢとテナントＣと・・・とはいずれも会計上異なる使用者であるとする。
【００５９】
テナントＡ，Ｂ，Ｃ，・・・の電力消費度合いをＲａ，Ｒｂ，Ｒｃ，・・・とする。例えば、Ｒａは、
Ｒａ＝Ｐａａ／Ｐ                                      ・・・（式８）
の式により計算される。ここで、Ｐａａは式５のＰａａと同じであり、Ｐは式１のＰと同じである。Ｒｂ，Ｒｃ，・・・も式８と同様に計算される。
【００６０】
次に、テナントＡ，Ｂ，Ｃ，・・・に課される電力料金をＦａ，Ｆｂ，Ｆｃ，・・・とする。図１に示す電力量計７２の検出する総消費電力量に対して課される電力料金をＦとする。例えば、Ｆａは、
Ｆａ＝Ｆ×Ｒａ                                        ・・・（式９）
の式により計算される。Ｆｂ，Ｆｃ，・・・も式９と同様に計算される。
【００６１】
＜プロトコル変換システム１においてＬｏｎＷｏｒｋｓ（登録商標）ネットワーク１０経由で情報が送受信される動作＞
図１に示すプロトコル変換システム１においてＬｏｎＷｏｒｋｓ（登録商標）ネットワーク１０経由で情報が送受信される動作を、図５に示す概念図を用いて説明する。図５においてネットワーク変数（入力ＮＶａ，入力ＮＶｂ，・・・，出力ＮＶｃ，出力ＮＶｄ，・・・，出力ＮＶｅ，出力ＮＶｆ，・・・，入力ＮＶｇ，入力ＮＶｈ，・・・）は白抜きの矢印で示され、その矢印の方向によって情報の伝達の方向が表される。ネットワーク変数（入力ＮＶａ，入力ＮＶｂ，・・・，出力ＮＶｃ，出力ＮＶｄ，・・・，出力ＮＶｅ，出力ＮＶｆ，・・・，入力ＮＶｇ，入力ＮＶｈ，・・・）の間を接続している実線は、実際の配線を表しているのではなく、ネットワーク変数間のバインドの状態を表している。
【００６２】
図１に示す管理装置２０からプロトコル変換器３０へ情報を送信する場合を考える。管理装置２０において図５に示す出力用ネットワーク変数（出力ＮＶｅ）に情報が代入されると、その情報がプロトコル変換器３０へ送信される。その情報は、プロトコル変換器３０の入力用ネットワーク変数（入力ＮＶａ）に受け取られ、プロトコル変換器３０に受信される。管理装置２０における他の出力用ネットワーク変数（出力ＮＶｆ，・・・）やプロトコル変換器３０における他の入力用ネットワーク変数（入力ＮＶｂ，・・・）についても同様である。
【００６３】
次に、図１に示すプロトコル変換器３０から管理装置２０へ情報を送信する場合を考える。プロトコル変換器３０において図５に示す出力用ネットワーク変数（出力ＮＶｃ）に情報が代入されると、その情報が管理装置２０へ送信される。その情報は、管理装置２０の入力用ネットワーク変数（入力ＮＶｇ）に受け取られ、管理装置２０に受信される。管理装置２０における他の入力用ネットワーク変数（入力ＮＶｈ，・・・）やプロトコル変換器３０における他の出力用ネットワーク変数（出力ＮＶｄ，・・・）についても同様である。
【００６４】
＜プロトコル変換システム１に関する特徴＞
（１）
ここでは、図１に示すプロトコル変換機３０は、ネットワーク群５０（５０ａ，５０ｂ）とＬｏｎＷｏｒｋｓ（登録商標）ネットワーク１０とを接続する。プロトコル変換機３０の図２に示すプロトコル変換部３３は、図１に示すネットワーク群５０（５０ａ，５０ｂ）のプロトコルをＬｏｎＷｏｒｋｓ（登録商標）ネットワーク１０のプロトコルに変換する。あるいは、ＬｏｎＷｏｒｋｓ（登録商標）ネットワーク１０のプロトコルをネットワーク群５０（５０ａ，５０ｂ）のプロトコルに変換する。空調機システム群６０（６０ａ，６０ｂ，・・・）の情報は、空調機システム群６０（６０ａ，６０ｂ，・・・）からネットワーク５０ａを介してプロトコル変換機３０の図２に示す送受信部ｂ３２で受信され、プロトコル変換機３０の送受信部ｂ３２からプロトコル変換機３０のプロトコル変換部３３を経由してプロトコル変換機３０の計算部３５に受け渡される。プロトコル変換機３０の計算部３５は、図１に示す空調機システム群６０（６０ａ，６０ｂ，・・・）の情報に基づいて、室内機６２ａ等ごとのみなし消費電力量を計算する。プロトコル変換機３０の図２に示す送受信部ａ３１は、プロトコル変換機３０のプロトコロル変換部３３を経由してプロトコル変換機３０の計算部３５から、図１に示す室内機６２ａ等ごとのみなし消費電力量の情報を受け取る。プロトコル変換機３０の図２に示す送受信部ａ３１は、図１に示すＬｏｎＷｏｒｋｓ（登録商標）ネットワーク１０を介して室内機６２ａ等ごとのみなし消費電力量Ｐａａ，Ｐａｂ，Ｐａｃ，・・・，Ｐｂａ，Ｐｂｂ，Ｐｂｃ，・・・を管理装置２０に送信する。したがって、室内機６２ａ等の複数の使用者Ａ，Ｂ，Ｃ，・・・に対する空調機システム群６０（６０ａ，６０ｂ，・・・）の電力消費度合いＲａ，Ｒｂ，Ｒｃ，・・・が管理装置２０において管理される。
【００６５】
（２）
ここでは、図１に示すＬｏｎＷｏｒｋｓ（登録商標）ネットワーク１０の通信容量は７８ｋｂｐｓ程度であり、ネットワーク群５０（５０ａ，５０ｂ）の通信容量１０Ｍｐｂｓ〜１０Ｇｂｐｓ程度よりも小さい。空調機システム群６０（６０ａ，６０ｂ，・・・）の室内機６２ａ等の運転及び停止状態値（運転時間（Ｈａａ，Ｈａｂ，Ｈａｃ，・・・，Ｈｂａ，Ｈｂｂ，Ｈｂｃ，・・・）の元データ）・吸い込み温度（Ｔａａ，Ｔａｂ，Ｔａｃ，・・・，Ｔｂａ，Ｔｂｂ，Ｔｂｃ，・・・）・運転モード（Ｍａａ，Ｍａｂ，Ｍａｃ，・・・，Ｍｂａ，Ｍｂｂ，Ｍｂｃ，・・・）・空調負荷量（Ｓａａ，Ｓａｂ，Ｓａｃ，・・・，Ｓｂａ，Ｓｂｂ，Ｓｂｃ，・・・）の情報は１２秒ごとに定期的に図２に示すプロトコル変換機３０の送受信部ｂ３２で受信され、空調機システム群６０（６０ａ，６０ｂ，・・・）の室外機６１ａ，６１ｂ，・・・の使用電力量ｐａ，ｐｂ，・・・の情報は１０秒ごとに定期的に図２に示すプロトコル変換機３０の送受信部ｂ３２で受信されることになるため、空調機システム群６０（６０ａ，６０ｂ，・・・）の情報は大容量の情報となる。これらの情報をＬｏｎＷｏｒｋｓ（登録商標）ネットワーク１０経由で送受信するのは困難である。それに対し、これらの情報は、大容量の情報であっても、ネットワーク群５０（５０ａ，５０ｂ）を介して空調機システム群６０（６０ａ，６０ｂ，・・・）から図２に示すプロトコル変換機３０の送受信部ｂ３２で受信され、プロトコル変換機３０のプロトコル変換部３３を経由してプロトコル変換機３０の計算部３５に受け渡されることが可能である。プロトコル変換機３０の計算部３５は、空調機システム群６０（６０ａ，６０ｂ，・・・）の情報に基づいて、室内機６２ａ等ごとのみなし消費電力量Ｐａａ，Ｐａｂ，Ｐａｃ，・・・，Ｐｂａ，Ｐｂｂ，Ｐｂｃ，・・・を計算する。室内機６２ａ等ごとのみなし消費電力量Ｐａａ，Ｐａｂ，Ｐａｃ，・・・，Ｐｂａ，Ｐｂｂ，Ｐｂｃ，・・・は、１時間ごとに計算される値であり、空調機システム群６０（６０ａ，６０ｂ，・・・）の情報に比べて、情報の容量が少ない。したがって、ＬｏｎＷｏｒｋｓ（登録商標）ネットワーク１０の通信容量が小さくても、ＬｏｎＷｏｒｋｓ（登録商標）ネットワーク１０を介して室内機６２ａ等ごとのみなし消費電力量Ｐａａ，Ｐａｂ，Ｐａｃ，・・・，Ｐｂａ，Ｐｂｂ，Ｐｂｃ，・・・が図１に示す管理装置２０に送信される。
【００６６】
（３）
ここでは、ＬｏｎＷｏｒｋｓ（登録商標）ネットワーク１０は、オープンネットワークであり、標準化されたネットワーク変数（入力ＮＶａ，入力ＮＶｂ，・・・，出力ＮＶｃ，出力ＮＶｄ，・・・，出力ＮＶｅ，出力ＮＶｆ，・・・，入力ＮＶｇ，入力ＮＶｈ，・・・）を介して情報の受け渡しが行われる。空調機システム群６０（６０ａ，６０ｂ，・・・）の室内機６２ａ等の空調負荷量Ｓａａ，Ｓａｂ，Ｓａｃ，・・・，Ｓｂａ，Ｓｂｂ，Ｓｂｃ，・・・は、一般的な物理量でなく、ＬｏｎＷｏｒｋｓ（登録商標）ネットワーク１０を介して送信されることは困難である。それに対し、空調機システム群６０（６０ａ，６０ｂ，・・・）の室内機６２ａ等の空調負荷量Ｓａａ，Ｓａｂ，Ｓａｃ，・・・，Ｓｂａ，Ｓｂｂ，Ｓｂｃ，・・・は、ネットワーク群５０（５０ａ，５０ｂ）を介して空調機システム群６０（６０ａ，６０ｂ，・・・）から図２に示すプロトコル変換機３０の送受信部ｂ３２で受信され、プロトコル変換機３０の計算部３５に受け渡されることが可能である。プロトコル変換機３０の計算部３５は、室内機６２ａ等ごとのみなし消費電力量Ｐａａ，Ｐａｂ，Ｐａｃ，・・・，Ｐｂａ，Ｐｂｂ，Ｐｂｃ，・・・を計算する。室内機６２ａ等ごとのみなし消費電力量Ｐａａ，Ｐａｂ，Ｐａｃ，・・・，Ｐｂａ，Ｐｂｂ，Ｐｂｃ，・・・は、一般的な物理量である。したがって、ＬｏｎＷｏｒｋｓ（登録商標）ネットワーク１０において一般的な物理量しか送受信され得なくても、ＬｏｎＷｏｒｋｓ（登録商標）ネットワーク１０を介して室内機６２ａ等ごとのみなし消費電力量Ｐａａ，Ｐａｂ，Ｐａｃ，・・・，Ｐｂａ，Ｐｂｂ，Ｐｂｃ，・・・が図１に示す管理装置２０に送信される。
【００６７】
（４）
ここでは、ネットワーク群５０（５０ａ，５０ｂ）は、クローズドネットワークすなわちメーカ固有のネットワークである。そのため、空調機システム群６０（６０ａ，６０ｂ，・・・）の室内機６２ａ等の空調負荷量Ｓａａ，Ｓａｂ，Ｓａｃ，・・・，Ｓｂａ，Ｓｂｂ，Ｓｂｃ，・・・の情報は、メーカ固有の物理量であり、ＬｏｎＷｏｒｋｓ（登録商標）ネットワーク１０を介して送信されることは困難である。それに対し、空調機システム群６０（６０ａ，６０ｂ，・・・）の室内機６２ａ等の空調負荷量Ｓａａ，Ｓａｂ，Ｓａｃ，・・・，Ｓｂａ，Ｓｂｂ，Ｓｂｃ，・・・の情報は、メーカ固有の物理量であっても、ネットワーク群５０（５０ａ，５０ｂ）を介して空調機システム群６０（６０ａ，６０ｂ，・・・）から図２に示すプロトコル変換機３０の送受信部ｂ３２で受信され、プロトコル変換機３０のプロトコル変換部３３を経由してプロトコル変換機３０の計算部３５に受け渡されることが可能である。プロトコル変換機３０の計算部３５は、空調機システム群６０（６０ａ，６０ｂ，・・・）の室内機６２ａ等の空調負荷量Ｓａａ，Ｓａｂ，Ｓａｃ，・・・，Ｓｂａ，Ｓｂｂ，Ｓｂｃ，・・・の情報に基づいて、室内機６２ａ等ごとのみなし消費電力量Ｐａａ，Ｐａｂ，Ｐａｃ，・・・，Ｐｂａ，Ｐｂｂ，Ｐｂｃ，・・・を計算する。したがって、空調機システム群６０（６０ａ，６０ｂ，・・・）がメーカ固有のネットワーク５０ａに接続されていても、ＬｏｎＷｏｒｋｓ（登録商標）ネットワーク１０を介して室内機６２ａ等ごとのみなし消費電力量Ｐａａ，Ｐａｂ，Ｐａｃ，・・・，Ｐｂａ，Ｐｂｂ，Ｐｂｃ，・・・が図１に示す管理装置２０に送信される。
【００６８】
（５）
ここでは、空調機システム群６０（６０ａ，６０ｂ，・・・）の情報は、空調機システム群６０（６０ａ，６０ｂ，・・・）からネットワーク５０ａを介して図２に示すプロトコル変換機３０の送受信部ｂ３２で受信され、プロトコル変換機３０のプロトコル変換部３３経由でプロトコル変換機３０の計算部３５に受け渡される。プロトコル変換機３０の図２に示す計算部３５は、空調機システム群６０（６０ａ，６０ｂ，・・・）の情報を積算する。プロトコル変換機３０の記憶部３４は、空調機システム群６０（６０ａ，６０ｂ，・・・）の情報を積算した結果をプロトコル変換機３０の図２に示す計算部３５から受け取り、空調機システム群６０（６０ａ，６０ｂ，・・・）の情報を積算した結果を記憶する。プロトコル変換機３０の図２に示す計算部３５は、空調機システム群６０（６０ａ，６０ｂ，・・・）の情報を積算した結果をプロトコル変換機３０の記憶部３４から受け取り、室内機６２ａ等ごとのみなし消費電力量Ｐａａ，Ｐａｂ，Ｐａｃ，・・・，Ｐｂａ，Ｐｂｂ，Ｐｂｃ，・・・を計算する。したがって、空調機システム群６０（６０ａ，６０ｂ，・・・）側で空調機システム群６０（６０ａ，６０ｂ，・・・）の情報を積算できなくても、空調機システム群６０（６０ａ，６０ｂ，・・・）の情報が積算される。
【００６９】
（６）
ここでは、空調機システム群６０（６０ａ，６０ｂ，・・・）の情報は、空調機システム群６０（６０ａ，６０ｂ，・・・）からネットワーク５０ａを介して図２に示すプロトコル変換機３０の送受信部ｂ３２で受信され、プロトコル変換機３０のプロトコル変換部３３経由でプロトコル変換機３０の計算部３５に受け渡される。プロトコル変換機３０の計算部３５は、空調機システム群６０（６０ａ，６０ｂ，・・・）の情報に基づいて、室内機６２ａ等ごとのみなし消費電力量Ｐａａ，Ｐａｂ，Ｐａｃ，・・・，Ｐｂａ，Ｐｂｂ，Ｐｂｃ，・・・を計算する。プロトコル変換機３０の送受信部ａ３１は、プロトコル変換機３０のプロトコロル変換部３３経由でプロトコル変換機３０の計算部３５から、室内機６２ａ等ごとのみなし消費電力量の情報を受け取る。プロトコル変換機３０の送受信部ａ３１は、ＬｏｎＷｏｒｋｓ（登録商標）ネットワーク１０を介して室内機６２ａ等ごとのみなし消費電力量Ｐａａ，Ｐａｂ，Ｐａｃ，・・・，Ｐｂａ，Ｐｂｂ，Ｐｂｃ，・・・を管理装置２０に送信する。したがって、室内機６２ａ等の複数の使用者Ａ，Ｂ，Ｃ，・・・に対する空調機システム群６０（６０ａ，６０ｂ，・・・）のエネルギー消費度合いＲａ，Ｒｂ，Ｒｃ，・・・が管理装置２０側で管理されるので、室内機６２ａ等の複数の使用者Ａ，Ｂ，Ｃ，・・・に対して電力料金Ｆａ，Ｆｂ，Ｆｃ，・・・が課金される。
【００７０】
＜第１実施形態の変形例＞
（Ａ）図３に示すステップＳ４において、図１に示す空調機システム群６０（６０ａ，６０ｂ，・・・）の総消費電力量Ｐの情報や図１に示す空調機システム群６０（６０ａ，６０ｂ，・・・）の室外機６１ａ，６１ｂ，・・・の使用電力量ｐａ，ｐｂ，・・・の情報や図１に示す空調機システム群６０（６０ａ，６０ｂ，・・・）の室内機６２ａ等の運転状態（Ｈａａ，Ｈａｂ，Ｈａｃ，・・・，Ｈｂａ，Ｈｂｂ，Ｈｂｃ，・・・，Ｔａａ，Ｔａｂ，Ｔａｃ，・・・，Ｔｂａ，Ｔｂｂ，Ｔｂｃ，・・・，Ｍａａ，Ｍａｂ，Ｍａｃ，・・・，Ｍｂａ，Ｍｂｂ，Ｍｂｃ，・・・，Ｓａａ，Ｓａｂ，Ｓａｃ，・・・，Ｓｂａ，Ｓｂｂ，Ｓｂｃ，・・・）の情報は、プロトコル変換機３０の図２に示す計算部３５が受け取るたびに積算しなくてもよい。すなわち、プロトコル変換機３０の記憶部３４は、それらの情報の瞬時値をプロトコル変換機３０の計算部３５から受け取り、記憶してもよい。この場合、図３においてステップＳ４は省略され、ステップＳ６において、図１に示す室内機６２ａ等ごとのみなし消費電力量Ｐａａ，Ｐａｂ，Ｐａｃ，・・・，Ｐｂａ，Ｐｂｂ，Ｐｂｃ，・・・を計算する前に、それらの情報の瞬時値が１時間分だけ積算されることになる。したがって、図２に示す計算部３５の処理が簡略化され、計算部３５を低コストで製造することができる。
【００７１】
あるいは、図２に示す記憶部３４はなくてもよい。この場合、図１に示す空調機システム群６０（６０ａ，６０ｂ，・・・）の総消費電力量Ｐの情報や図１に示す空調機システム群６０（６０ａ，６０ｂ，・・・）の室外機６１ａ，６１ｂ，・・・の使用電力量ｐａ，ｐｂ，・・・の情報や図１に示す空調機システム群６０（６０ａ，６０ｂ，・・・）の室内機６２ａ等の運転状態（Ｈａａ，Ｈａｂ，Ｈａｃ，・・・，Ｈｂａ，Ｈｂｂ，Ｈｂｃ，・・・，Ｔａａ，Ｔａｂ，Ｔａｃ，・・・，Ｔｂａ，Ｔｂｂ，Ｔｂｃ，・・・，Ｍａａ，Ｍａｂ，Ｍａｃ，・・・，Ｍｂａ，Ｍｂｂ，Ｍｂｃ，・・・，Ｓａａ，Ｓａｂ，Ｓａｃ，・・・，Ｓｂａ，Ｓｂｂ，Ｓｂｃ，・・・）の情報は、１時間だけ積算された値が、図２に示す送受信部３２ｂで１時間ごとに受信されることになる。したがって、図１に示す電力量計７２や室内機６２ａ等や室外機６１ａ，６１ｂ，・・・にはさらに積算するための処理装置と記憶装置が必要になるが、全体として処理が分散されるため、処理が高速化される。
（Ｂ）図１において、電力量計７２は、１つだけであるが、複数存在してもよい。すなわち、電力供給線７３ａ，７３ｂ，・・・ごとに電力量計を設けてもよい。この場合、各室外機６１ａ，６１ｂ，・・・に設けられている電流計４０ａ，４０ｂ，・・・が不要となり、各室外機６１ａ，６１ｂ，・・・を低コストで製造することができる。
（Ｃ）図１に示すネットワーク群５０（５０ａ，５０ｂ）は、クローズドネットワークすなわちメーカ固有のネットワークでなくてもよい。この場合でも、空調機システム群６０（６０ａ，６０ｂ，・・・）の運転状態の情報は、大容量の情報であり、ＬｏｎＷｏｒｋｓ（登録商標）ネットワーク１０を介して管理装置２０へ送信することは困難である。
（Ｄ）図１に示す空調機システム群６０（６０ａ，６０ｂ，・・・）の室内機６２ａ等の空調負荷量Ｓａａ，Ｓａｂ，Ｓａｃ，・・・，Ｓｂａ，Ｓｂｂ，Ｓｂｃ，・・・は、室内機６２ａ等で計算されなくてもよい。すなわち、室外機６１ａ，６１ｂ，・・・で計算されてもよいし、プロトコル変換機３０で計算されてもよい。
【００７２】
空調負荷量Ｓａａ，Ｓａｂ，Ｓａｃ，・・・，Ｓｂａ，Ｓｂｂ，Ｓｂｃ，・・・が室外機６１ａ，６１ｂ，・・・で計算される場合、室内機６２ａ等から吹き出される空気の風速Ｖａａ，Ｖａｂ，Ｖａｃ，・・・，Ｖｂａ，Ｖｂｂ，Ｖｂｃ，・・・と室内機６２ａ等の吹き出し口の面積Ａａａ，Ａａｂ，Ａａｃ，・・・，Ａｂａ，Ａｂｂ，Ａｂｃ，・・・と室内機６２ａ等の吹き出し温度ｔａａ，ｔａｂ，ｔａｃ，・・・，ｔｂａ，ｔｂｂ，ｔｂｃ，・・・と室内機６２ａ等の吸い込み温度Ｔａａ，Ｔａｂ，Ｔａｃ，・・・，Ｔｂａ，Ｔｂｂ，Ｔｂｃ，・・・と室内機６２ａ等の吹き出し延べ時間ｈａａ，ｈａｂ，ｈａｃ，・・・，ｈｂａ，ｈｂｂ，ｈｂｃ，・・・とが、室内機６２ａ等から室外機６１ａ，６１ｂ，・・・へネットワーク５０ａ介して送信される。室外機６１ａ，６１ｂ，・・・は、式６と式７とに同様な式に従って、空調機システム群６０（６０ａ，６０ｂ，・・・）の室内機６２ａ等の空調負荷量Ｓａａ，Ｓａｂ，Ｓａｃ，・・・，Ｓｂａ，Ｓｂｂ，Ｓｂｃ，・・・を計算することになる。したがって、室内機６２ａ等の処理を簡略化することができるので、室内機６２ａ等を低コストで製造することができる。ここで、室内機６２ａ等の吹き出し口の面積Ａａａ，Ａａｂ，Ａａｃ，・・・，Ａｂａ，Ａｂｂ，Ａｂｃ，・・・は、室外機６１ａ，６１ｂ，・・・に記憶されており、室内機６２ａ等から室外機６１ａ，６１ｂ，・・・へ送信されなくてもよい。時間的に一定の値だからである。
【００７３】
空調負荷量Ｓａａ，Ｓａｂ，Ｓａｃ，・・・，Ｓｂａ，Ｓｂｂ，Ｓｂｃ，・・・がプロトコル変換機３０で計算される場合、室内機６２ａ等から吹き出される空気の風速Ｖａａ，Ｖａｂ，Ｖａｃ，・・・，Ｖｂａ，Ｖｂｂ，Ｖｂｃ，・・・と室内機６２ａ等の吹き出し口の面積Ａａａ，Ａａｂ，Ａａｃ，・・・，Ａｂａ，Ａｂｂ，Ａｂｃ，・・・と室内機６２ａ等の吹き出し温度ｔａａ，ｔａｂ，ｔａｃ，・・・，ｔｂａ，ｔｂｂ，ｔｂｃ，・・・と室内機６２ａ等の吸い込み温度Ｔａａ，Ｔａｂ，Ｔａｃ，・・・，Ｔｂａ，Ｔｂｂ，Ｔｂｃ，・・・と室内機６２ａ等の吹き出し延べ時間ｈａａ，ｈａｂ，ｈａｃ，・・・，ｈｂａ，ｈｂｂ，ｈｂｃ，・・・とが、室内機６２ａ等から室外機６１ａ，６１ｂ，・・・を経由してネットワーク５０ａを介してプロトコル変換機３０へ送信される。プロトコル変換機３０の図２に示す計算部３５は、式６と式７とに同様な式に従って、図１に示す空調機システム群６０（６０ａ，６０ｂ，・・・）の室内機６２ａ等の空調負荷量Ｓａａ，Ｓａｂ，Ｓａｃ，・・・，Ｓｂａ，Ｓｂｂ，Ｓｂｃ，・・・を計算することになる。したがって、空調機システム群６０（６０ａ，６０ｂ，・・・）からプロトコル変換機３０へ送信する情報は、さらに大容量の情報となり、ＬｏｎＷｏｒｋｓ（登録商標）ネットワーク１０を経由して管理装置２０に送信することは困難になる。しかし、それらの情報はプロトコル変換機３０の図２に示す計算部３５で図１に示す室内機６２ａ等ごとのみなし消費電力量Ｐａａ，Ｐａｂ，Ｐａｃ，・・・，Ｐｂａ，Ｐｂｂ，Ｐｂｃ，・・・へと計算されるので、その点は問題とならない。また、室内機６２ａ等の処理を簡略化することができるので、室内機６２ａ等を低コストで製造することができる。ここで、室内機６２ａ等の吹き出し口の面積Ａａａ，Ａａｂ，Ａａｃ，・・・，Ａｂａ，Ａｂｂ，Ａｂｃ，・・・は、プロトコル変換機３０の図２に示す記憶部３４に記憶されており、図１に示す室内機６２ａ等からプロトコル変換機３０へ送信されなくてもよい。時間的に一定の値だからである。
（Ｅ）図１に示す室内機６２ａ等ごとのみなし消費電力量Ｐａａ，Ｐａｂ，Ｐａｃ，・・・，Ｐｂａ，Ｐｂｂ，Ｐｂｃ，・・・は、室内機６２ａ等の空調負荷量Ｓａａ，Ｓａｂ，Ｓａｃ，・・・，Ｓｂａ，Ｓｂｂ，Ｓｂｃ，・・・を用いないで計算されてもよい。
【００７４】
例えば、式２や式３や式４の代わりに次の式２ａや式３ａや式４ａを用いてもよい。
Ｂａａ＝Ｈａａ                                      ・・・（式２ａ）
Ｂａａ＝Ｈａａ                                      ・・・（式３ａ）
Ｂａａ＝Ｈａａ                                      ・・・（式４ａ）
この場合、プロトコル変換機３０の図２に示す計算部３５における処理が簡略化され、プロトコル変換機３０を低コストで製造することができる。なおこの場合でも、図２に示すプロトコル変換機３０の受信部ｂ３２が図１に示す空調機システム群６０（６０ａ，６０ｂ，・・・）から受信する情報は、一般的な物理量だけとなるが、情報の容量は依然として大きく、ＬｏｎＷｏｒｋｓ（登録商標）ネットワーク１０経由で図１に示す管理装置２０へ送信されることは困難である。
【００７５】
例えば、図１に示す室内機６２ａ等が接続されている冷媒回路における膨張弁の開度をＯａａ，Ｏａｂ，Ｏａｃ，・・・，Ｏｂａ，Ｏｂｂ，Ｏｂｃ，・・・として、式２や式３や式４の代わりに次の式２ｂや式３ｂや式４ｂを用いてもよい。
Ｂａａ＝Ｗｃ×（−Ｋａ＋Ｋｂ×Ｔａａ）×Ｏａａ×Ｈａａ
・・・（式２ｂ）
Ｂａａ＝Ｗｈ×（Ｋｃ−Ｋｄ×Ｔａａ）×Ｏａａ×Ｈａａ
・・・（式３ｂ）
Ｂａａ＝Ｗｗ×Ｈａａ                                ・・・（式４ｂ）
この場合、膨張弁の開度Ｏａａ，Ｏａｂ，Ｏａｃ，・・・，Ｏｂａ，Ｏｂｂ，Ｏｂｃ，・・・は直接測定できるため、室内機６２ａ等における処理が簡略化され、室内機６２ａ等を低コストで製造することができる。なおこの場合でも、図２に示すプロトコル変換機３０の受信部ｂ３２が空調機システム群６０（６０ａ，６０ｂ，・・・）から受信する情報は、膨張弁の開度Ｏａａ，Ｏａｂ，Ｏａｃ，・・・，Ｏｂａ，Ｏｂｂ，Ｏｂｃ，・・・というメーカ固有の物理量が含まれるため、ＬｏｎＷｏｒｋｓ（登録商標）ネットワーク１０経由で図１に示す管理装置２０へ送信されることは困難である。
【００７６】
また、室内機６２ａ等ごとのみなし消費電力量Ｐａａ，Ｐａｂ，Ｐａｃ，・・・，Ｐｂａ，Ｐｂｂ，Ｐｂｃ，・・・が室内機６２ａ等の空調負荷量Ｓａａ，Ｓａｂ，Ｓａｃ，・・・，Ｓｂａ，Ｓｂｂ，Ｓｂｃ，・・・を用いて計算される場合でも、室内機６２ａ等ごとの仮消費電力量Ｂａａ，Ｂａｂ，Ｂａｃ，・・・，Ｂｂａ，Ｂｂｂ，Ｂｂｃ，・・・は、式２〜式４とは別の式により計算されてもよい。
（Ｆ）図１において、空調機システム６０ａ，６０ｂ，・・・は、２つでなくてもよい。１つであってもよいし、３つ以上であってもよい。空調機システム６０ａ，６０ｂ，・・・は、第１実施形態ではヒートポンプ方式の場合が示されているが、蓄熱式ヒートポンプ方式・冷房専用方式など電動式圧縮機４１ａ，４１ｂ，・・・で稼働するものなら何であってもよい。管理装置２０は、空調機システム群６０（６０ａ，６０ｂ，・・・）の制御を行ってもよい。図３に示すステップＳ１において、図１に示す電力量計７２からネットワーク５０ｂを経由して電力パルスとして送信される時間間隔は、室内機６２ａ等ごとのみなし消費電力量Ｐａａ，Ｐａｂ，Ｐａｃ，・・・，Ｐｂａ，Ｐｂｂ，Ｐｂｃ，・・・が計算される時間間隔以下であれば、何秒でもよい。あるいは、１秒よりも短い時間間隔であってもよい。図３に示すステップＳ２において、図１に示す空調機システム群６０（６０ａ，６０ｂ，・・・）の室外機６１ａ，６１ｂ，・・・からネットワーク５０ａを経由して定期的に送信される時間間隔は、室内機６２ａ等ごとのみなし消費電力量Ｐａａ，Ｐａｂ，Ｐａｃ，・・・，Ｐｂａ，Ｐｂｂ，Ｐｂｃ，・・・が計算される時間間隔以下であれば、何秒でもよい。あるいは、１秒よりも短い時間間隔であってもよい。図３に示すステップＳ３において、図１に示す空調機システム群６０（６０ａ，６０ｂ，・・・）の室内機６２ａ等からネットワーク５０ａと室外機６１ａ，６１ｂ，・・・とを経由して定期的に送信される時間間隔は、室内機６２ａ等ごとのみなし消費電力量Ｐａａ，Ｐａｂ，Ｐａｃ，・・・，Ｐｂａ，Ｐｂｂ，Ｐｂｃ，・・・を計算する時間間隔以下であれば、何秒でもよい。あるいは、１秒よりも短い時間間隔であってもよい。図３に示すステップＳ５において、室内機６２ａ等ごとのみなし消費電力量Ｐａａ，Ｐａｂ，Ｐａｃ，・・・，Ｐｂａ，Ｐｂｂ，Ｐｂｃ，・・・が計算される時間間隔は、１時間でなくてもよい。１時間以下であってもよいし、１時間以上であってもよい。図４において、室内機６２ａ等ごとに部屋ＲＭａ，ＲＭｂ，ＲＭｃ，・・・が分かれている場合が示されているが、複数の室内機６２ａ等を備えた部屋ＲＭａ，ＲＭｂ，ＲＭｃ，・・・があってもよい。あるいは、室内機６２ａ等を備えない部屋ＲＭａ，ＲＭｂ，ＲＭｃ，・・・が混在していてもよい。図４において、部屋ＲＭａ，ＲＭｂ，ＲＭｃ，・・・ごとにテナントＡ，Ｂ，Ｃ，・・・が別々である場合が示されているが、複数の部屋ＲＭａ，ＲＭｂ，ＲＭｃ，・・・にまたがって、同じテナントＡ，Ｂ，Ｃ，・・・が入っていてもよい。あるいは、テナントＡ，Ｂ，Ｃ，・・・が入っていない部屋ＲＭａ，ＲＭｂ，ＲＭｃ，・・・があってもよい。図１において、ＬｏｎＷｏｒｋｓ（登録商標）ネットワーク１０の代わりに、ＢＡＣｎｅｔを用いてもよい。この場合も、分散制御ネットワークである。あるいは、それ以外の分散制御ネットワークを用いてもよい。
（Ｇ）図５において、入力用ネットワーク変数（入力ＮＶａ，入力ＮＶｂ，・・・，入力ＮＶｇ，入力ＮＶｈ，・・・）と出力用ネットワーク変数（出力ＮＶｃ，出力ＮＶｄ，・・・，出力ＮＶｅ，出力ＮＶｆ，・・・）とが１対１に対応している場合が示されているが、１対１に対応していなくてもよい。すなわち、１つの入力用ネットワーク変数（入力ＮＶａ，入力ＮＶｂ，・・・，入力ＮＶｇ，入力ＮＶｈ，・・・）に複数の出力用ネットワーク変数（出力ＮＶｃ，出力ＮＶｄ，・・・，出力ＮＶｅ，出力ＮＶｆ，・・・）が対応していてもよい。複数の入力用ネットワーク変数（入力ＮＶａ，入力ＮＶｂ，・・・，入力ＮＶｇ，入力ＮＶｈ，・・・）に１つの出力用ネットワーク変数（出力ＮＶｃ，出力ＮＶｄ，・・・，出力ＮＶｅ，出力ＮＶｆ，・・・）が対応していてもよい。複数の入力用ネットワーク変数（入力ＮＶａ，入力ＮＶｂ，・・・，入力ＮＶｇ，入力ＮＶｈ，・・・）に複数の出力用ネットワーク変数（出力ＮＶｃ，出力ＮＶｄ，・・・，出力ＮＶｅ，出力ＮＶｆ，・・・）が対応していてもよい。入力用ネットワーク変数（入力ＮＶａ，入力ＮＶｂ，・・・，入力ＮＶｇ，入力ＮＶｈ，・・・）又は出力用ネットワーク変数（出力ＮＶｃ，出力ＮＶｄ，・・・，出力ＮＶｅ，出力ＮＶｆ，・・・）に、バインディングされていないネットワーク変数があってもよい。
【００７７】
［第２実施形態］
本発明の第２実施形態にかかるプロトコル変換システム１００を図６に示す。図６において、図１のプロトコル変換システム１の構成要素と同様の構成要素は同じ番号で示してある。
このプロトコル変換システム１００は、基本的な構造は第１実施形態と同様であり、プロトコル変換機３０がＬｏｎＷｏｒｋｓ（登録商標）ネットワーク１０のプロトコルとネットワーク群５０（５０ａ，５０ｂ）のプロトコルとを互いに変換する点も第１実施形態と同様であるが、空調機システム群１６０（１６０ａ，１６０ｂ，・・・）がガスヒートポンプ方式を採用しており、ガス供給設備群１７０（１７１，１７２，１７３）をさらに備える点で第１実施形態と異なる。すなわち、空調機システム群１６０（１６０ａ，１６０ｂ，・・・）の室外機群１６１（１６０ａ，１６０ｂ，・・・）は、電動式圧縮機群４１（４１ａ，４１ｂ，・・・）の代わりにガスヒートポンプ式圧縮機群１４１（１４１ａ，１４１ｂ，・・・）を備え、ガス量計群１４０（１４０ａ，１４０ｂ，・・・）をさらに備えている。ガス供給設備群１７０（１７１，１７２，１７３）は、主としてガス源１７１とガス量計１７２とガス供給管群１７３（１７３ａ，１７３ｂ，・・・）とを備える。なお、ガス量計群１４０（１４０ａ，１４０ｂ，・・・）の検出したガス量の合計は、ガス量計１７２の検出したガス量と一致するとは限らない。検出を行っている機器が異なるからである。ガス料金は、ガス量計１７２の検出したガス量に対して課金される。
【００７８】
室内機１６２ａ，１６３ａ，１６４ａ，・・・，１６２ｂ，１６３ｂ，１６４ｂ，・・・（以下、室内機１６２ａ等と表す。）ごとのみなし消費電力量Ｐａａ，Ｐａｂ，Ｐａｃ，・・・，Ｐｂａ，Ｐｂｂ，Ｐｂｃ，・・・に加えて、室内機１６２ａ等ごとのみなし消費ガス量Ｇａａ，Ｇａｂ，Ｇａｃ，・・・，Ｇｂａ，Ｇｂｂ，Ｇｂｃ，・・・を計算する必要がある点で第１実施形態と異なっている。
【００７９】
室内機１６２ａ等ごとのみなし消費ガス量Ｇａａ，Ｇａｂ，Ｇａｃ，・・・，Ｇｂａ，Ｇｂｂ，Ｇｂｃ，・・・が、室内機１６２ａ等ごとのみなし消費電力量Ｐａａ，Ｐａｂ，Ｐａｃ，・・・，Ｐｂａ，Ｐｂｂ，Ｐｂｃ，・・・と同様の手順で計算され、ＬｏｎＷｏｒｋｓ（登録商標）ネットワーク１０を介して管理装置２０へ送信される点は第１実施形態と同様である。したがって、このようなプロトコル変換システム１００によっても、室内機１６２ａ等の複数の使用者Ａ，Ｂ，Ｃ，・・・に対する空調機システム群１６０（１６０ａ，１６０ｂ，・・・）の電力消費度合いＲａ，Ｒｂ，Ｒｃ，・・・とガス量消費度合いＲＧａ，ＲＧｂ，ＲＧｃ，・・・とが管理装置２０において管理される。
【００８０】
＜第２実施形態の変形例＞
（Ａ）図６において、ガス量計１７２は、１つだけであるが、複数存在してもよい。すなわち、ガス供給管１７３ａ，１７３ｂ，・・・ごとにさらにガス量計を設けてもよい。この場合、各室外機１６１ａ，１６１ｂ，・・・に設けられているガス量計１４０ａ，１４０ｂ，・・・が不要となり、各室外機１６１ａ，１６１ｂ，・・・を低コストで製造することができる。
（Ｂ）空調機システム１６０ａ，１６０ｂ，・・・は、第２実施形態ではガスヒートポンプ方式の場合が示されているが、ガスヒートポンプ式圧縮機１４１ａ，１４１ｂ，・・・で稼働するものなら何であってもよい。あるいは、ボイラ方式・吸収式ヒートポンプ方式など電気又はガスの少なくとも一方を駆動力とする圧縮機を用いた他の方式であってもよい。
【産業上の利用可能性】
【００８１】
本発明にかかるプロトコル変換機、プロトコル変換システム及び室内機ごとのエネルギー管理方法は、複数の室内機の複数の使用者に対する空気調和装置のエネルギー消費度合いを管理することができるという効果を有し、プロトコル変換機、プロトコル変換システム及び室内機ごとのエネルギー管理方法として有用である。
【図面の簡単な説明】
【００８２】
【図１】本発明の第１実施形態によるプロトコル変換システムの構成図。
【図２】本発明の第１実施形態によるプロトコル変換機の構成図。
【図３】プロトコル変換システムが室内機ごとのみなし消費電力量を管理する処理の流れを示すフローチャート。
【図４】室内機の使用者が複数存在する場合を示す概念図。
【図５】プロトコル変換システムにおいて情報が送受信される動作を示す概念図。
【図６】本発明の第２実施形態によるプロトコル変換システムの構成図。
【符号の説明】
【００８３】
１，１００  プロトコル変換システム
１０  ＬｏｎＷｏｒｋｓ（登録商標）ネットワーク
２０  管理装置
３０  プロトコル変換機
５０  ネットワーク群
６０，１６０  空調機システム群
【図１】
2005037075.tif 000003
【図２】
2005037075.tif 000004
【図３】
2005037075.tif 000005
【図４】
2005037075.tif 000006
【図５】
2005037075.tif 000007
【図６】
2005037075.tif 000008